(57)【要約】【課題】情報端末装置から送信された画像情報を特別な画像表示装置を持たない携帯情報端末で表示する。【解決手段】ネットワークによる通信を制御する通信制御手段６と、情報端末に画像情報を入力する画像情報入力手段２と、画像情報入力手段によって入力された画像情報を携帯情報端末向けのコンテンツ記述言語に変換する画像情報変換手段４と、ネットワーク２０を介して情報端末からデータを送信するデータ送信手段８とを備える。【選択図】図１
2008015645.tif 000002
【特許請求の範囲】
【請求項１】
ネットワークを介して携帯情報端末装置に接続される情報端末装置であって、ネットワークによる通信を制御する通信制御手段と、画像情報を入力する画像情報入力手段と、前記画像情報入力手段によって入力された画像情報を前記携帯情報端末装置向けのコンテンツ記述言語に変換する画像情報変換手段と、前記ネットワークを介してデータを送信する手段とを有することを特徴とする情報端末装置。
【請求項２】
画像情報を携帯情報端末装置向けのコンテンツ記述言語に変換したデータ内に応答メッセージ入力フォームを埋め込む応答メッセージ入力フォーム作成手段を備えたことを特徴とする請求項１に記載の情報端末装置。
【請求項３】
前記携帯情報端末装置の話中などの情報の受信可否を判別する受信可否検出手段を備えたことを特徴とする請求項１に記載の情報端末装置。
【発明の詳細な説明】
【技術分野】
【０００１】
本発明は、ネットワークに接続可能な情報端末装置に関するものである。
【背景技術】
【０００２】
近年、携帯情報端末装置としての携帯電話機によるインターネット接続サービスが進んでおり、音声通話以外に電子メール、Ｗｅｂ閲覧といった本来パソコンによるインターネット利用形態であった機能が携帯電話機で利用されている。
【０００３】
例えば携帯電話会社が携帯電話網を使って提供しているインターネット接続サービスでは、ｅ−ｍａｉｌの送受信やＷＷＷ（Ｗｏｒｌｄ  Ｗｉｄｅ  Ｗｅｂ）を利用した情報提供サービスはもちろんのこと、インターネットバンキングやチケット予約などのアプリケーションサービス、ゲームなどのエンターテイメント系コンテンツサービスが増加しつつある。
【０００４】
しかし、携帯情報端末装置の多機能化が進んでも携帯情報端末装置ではその制約上狭い液晶画面しか持つことができず、画像情報のようなパソコンのディスプレイを想定したコンテンツを利用したリアルタイムのコミュニケーションを行うことは困難であった。画像情報を送る手段として電子メールの添付ファイル機能があるが、電子メールの添付ファイル機能で送信する場合、送信先の存在／不在に拘わらず内容送信が行われるため、即時性や相手先の誤送信等によるデータの秘匿性に問題点が残る。
【０００５】
このような画像情報を使用したコミュニケーションを可能にする方法としては（特許文献１）に記載の通信装置及び記録媒体がある。
【特許文献１】特開平１０−２２８４３１号公報
【発明の開示】
【発明が解決しようとする課題】
【０００６】
しかし、（特許文献１）に記載の通信装置及び記録媒体は画像データを表示するために一般端末とＷＷＷサーバを使用しており、ＷＷＷサーバを有さない一般の利用者が画像情報を相手先に表示させることは困難であった。
【０００７】
また、地図や写真等の画像情報を相手側の携帯情報端末装置に送信する場合、相手側が所持する情報端末装置が携帯情報端末装置のみの場合は使用できないという問題点があった。
【０００８】
また、電子メールの添付ファイル機能で送信する場合、送信先の存在／不在に拘わらず内容送信が行われるため、即時性や相手先の誤送信等によるデータの秘匿性に問題点があった。
【０００９】
そこで、ＷＷＷサーバや大画面のディスプレイを使用しなくても、携帯情報端末装置だけで情報端末装置から送られてきた画像情報の表示を容易に行え、また相手側の携帯情報端末装置の受信確認を即時かつ容易に取得でき、画像情報を含むコンテンツを利用した安全なコミュニケーションを行うことができ、利便性の向上が図れる情報端末装置が要求されていた。
【００１０】
本発明は、この要求を満たすため、ＷＷＷサーバや大画面のディスプレイを使用しなくても、携帯情報端末装置だけで情報端末装置から送られてきた画像情報の表示を容易に行うことができ、また相手側の携帯情報端末装置の受信確認を即時かつ容易に取得することができ、画像情報を含むコンテンツを利用した安全なコミュニケーションを行うことができ、利便性の向上が図れる情報端末装置を提供することを目的とする。
【課題を解決するための手段】
【００１１】
この課題を解決するために、本発明は、ネットワークを介して携帯情報端末装置に接続される情報端末装置であって、ネットワークによる通信を制御する通信制御手段と、画像情報を入力する画像情報入力手段と、画像情報入力手段によって入力された画像情報を携帯情報端末装置向けのコンテンツ記述言語に変換する画像情報変換手段と、ネットワークを介してデータを送信するデータ送信手段とを有することとしたものである。
【００１２】
これにより、ＷＷＷサーバや大画面のディスプレイを使用しなくても、携帯情報端末装置だけで情報端末装置から送られてきた画像情報の表示を容易に行うことができる情報端末装置が得られる。
【発明の効果】
【００１３】
本発明によれば、ネットワークを介して画像情報を携帯情報端末装置に送信する際に、画像情報を携帯情報端末装置向けのコンテンツ記述言語に変換して送信するので、画像情報表示のための特別な表示装置を持たない携帯情報端末装置でも画像情報を表示でき、また、受信可否検出の機能を備えれば、相手端末の受信確認を即時かつ容易に取得することができるので、利便性の向上を図ることができる。
【発明を実施するための最良の形態】
【００１４】
上記課題を解決するためになされた第１の発明は、ネットワークを介して携帯情報端末装置に接続される情報端末装置であって、ネットワークによる通信を制御する通信制御手段と、画像情報を入力する画像情報入力手段と、画像情報入力手段によって入力された画像情報を携帯情報端末装置向けのコンテンツ記述言語に変換する画像情報変換手段と、ネットワークを介してデータを送信するデータ送信手段とを有することにより、画像情報を携帯情報端末装置向けのコンテンツ記述言語に変換したデータを送信することができるので、一般の携帯情報端末装置では表示できない画像情報を相手側の携帯情報端末装置に送信した際に画像情報を携帯情報端末装置で表示することができ、また受信可否検出機能を備えることにより、相手携帯情報端末装置の受信確認を即時かつ容易に取得することができ、画像情報を含むコンテンツを利用した安全なコミュニケーションを行うことができるという作用・効果を有する。
【００１５】
上記課題を解決するためになされた第２の発明は、画像情報を携帯情報端末装置向けのコンテンツ記述言語に変換したデータ内に応答メッセージ入力フォームを埋め込む応答メッセージ入力フォーム作成手段を備えたことにより、着信側の携帯情報端末装置は受信したデータのブラウザ機能等の操作によりユーザの応答を送信側の情報端末装置に送信することができるので、双方向通信が可能となるという作用・効果を有する。
【００１６】
上記課題を解決するためになされた第３の発明は、携帯情報端末装置の話中などの情報の受信可否を判別する受信可否検出手段を備えたことにより、着信側携帯情報端末装置が通信ビジー状態などにより受信できない状態の場合は画像情報を自動的に電子メールに変換して送信することができるので、着信側携帯情報端末装置が通信ビジーなどであっても情報伝達を遂行することができ、利便性の向上を図ることができるという作用・効果を有する。
【００１７】
以下、本発明の実施の形態について、図１〜図３を用いて説明する。
【００１８】
（実施の形態１）
図１は、携帯情報端末装置と本発明の実施の形態１に係る情報端末装置とがネットワークを介して接続されているネットワークシステムを示す構成図であり、情報端末装置および携帯情報端末装置においては、機能実現手段（コンピュータによりその機能が実現される手段）が示されている。
【００１９】
図１において、１は本発明の実施の形態１に係る情報端末装置、２は画像情報を情報端末装置１に取り込む画像情報入力手段、３は画像情報入力手段２により取り込んだ画像情報を保存するための画像情報保持手段、４は画像情報保持手段２により保存している画像情報を後述の携帯情報端末装置２１で表示可能な型に変換するための画像情報変換手段、５は画像情報変換手段４により変換されたデータを保存するためのデータ保持手段、６はネットワークを介した通信路を生成するための通信制御手段、７は着信側の携帯情報端末装置２１がデータを受信できる状態にあるか否かを検出する受信可否検出手段、８は通信制御手段６により生成した通信路を介してデータを送信するデータ送信手段、９は着信側の携帯情報端末装置２１が、ブラウザを介して応答メッセージを入力して送信するための入力フォームを作成するための応答メッセージ入力フォーム作成手段、１０は着信側の携帯情報端末装置２１からの応答メッセージを受信するための応答メッセージ受信手段、１１はテキストや画像情報等を電子メールの形式に変換する電子メール作成手段、１２は電子メール作成手段１１により作成した電子メールを送信する電子メール送信手段、２０はインターネットやイントラネットなどにより構成されるネットワークである。
【００２０】
また、２１は携帯情報端末装置、２２はネットワークを介した通信路を生成するための通信制御手段、２３は通信制御手段２２により生成した通信路を介してデータを受信するデータ受信手段、２４はデータ受信手段２３により受信したデータを保存するためのデータ保持手段、２５はデータ保持手段２４により保存されたデータをディスプレイなどに表示するデータ表示手段、２６は画像情報を携帯情報端末装置２１で表示可能な型に変換したデータ内に埋め込まれた入力フォームを操作して応答メッセージを作成するブラウザ操作手段、２７はブラウザ操作手段２６により作成した応答メッセージを通信制御手段２２により生成した通信路により送信するデータ送信手段、２８は電子メール受信手段である。
【００２１】
このように構成されたネットワークシステムにおける情報端末装置１について、その動作を図２を用いて説明する。
【００２２】
図２は情報端末装置１の動作を示すフローチャートである。
【００２３】
図２において、ユーザは画像情報入力手段２を用いて情報端末装置１内に画像情報を取り込み、取り込んだ画像情報を画像情報保持手段３を用いて保存する（Ｓ１）。次に、取り込んだ画像情報を画像情報変換手段４を用いて携帯情報端末装置２１で表示可能な型に変換し、変換したデータをデータ保持手段５を用いて保存する（Ｓ２）。変換する型としては携帯情報端末装置２１向けのコンテンツ記述言語であるｃＨＴＭＬ（Ｃｏｍｐａｃｔ  Ｈｙｐｅｒ  Ｔｅｘｔ  Ｍａｒｋｕｐ  Ｌａｎｇｕａｇｅ）が挙げられる。ｃＨＴＭＬは携帯電話やＰＤＡなどの携帯情報端末装置向けのコンテンツ記述言語であり、これらの機器を用いて閲覧されるＷｅｂサイトのコンテンツの記述に利用される。ＨＴＭＬから余分な仕様を除いた部分集合（サブセット）として定義され、ＨＴＭＬと下位互換性があるため、既存のコンテンツの移行が容易なのが特徴である。また、着信側の携帯情報端末装置２１と双方向通信が必要な場合は、応答メッセージを取得するための入力フォームを応答メッセージ入力フォーム作成手段９を用いて作成し、画像情報を変換したデータ内に埋め込む（Ｓ２）。入力フォームはＷｅｂサイトが訪問者の入力を取得するための手段であり、入力フォームを通してホームページの訪問者に応答メッセージを入力させることができる。
【００２４】
次に、通信制御手段６を用いて情報端末装置１と携帯情報端末装置２１の間にネットワーク２０を介した通信路を生成し（Ｓ３）、生成した通信路を使用して携帯情報端末装置２１がデータを受信できる状態かどうかを受信可否検出手段７を用いて検出する（Ｓ４）。着信側の携帯情報端末装置２１が受信可能状態であると図示しない判定手段により判定した場合は（Ｓ５）、ステップ３で生成した通信路を使用してデータ保持手段５によりＲＡＭ等に保存しているデータをデータ送信手段８を用いて携帯情報端末装置２１に送信する（Ｓ６）。
【００２５】
次に、着信側の携帯情報端末装置２１から応答メッセージを受信したと図示しない判定手段により判定した場合は（Ｓ７）、応答メッセージ受信手段１０は応答メッセージを受信する（Ｓ８）。応答メッセージを受信していないと判定した場合はこの処理を終了する。
【００２６】
着信側の携帯情報端末装置２１が受信不可状態であると図示しない判定手段により判定した場合は（Ｓ５）、電子メール作成手段１１は、画像情報保持手段３によりＲＡＭ等に保存している画像情報を電子メールの形態に変換し、ステップ３で生成した通信路を使用して電子メール送信手段１２は携帯情報端末装置２１に上記電子メールを送信する（Ｓ９）。
【００２７】
次に、携帯情報端末装置２１について、その動作を図３を用いて説明する。
【００２８】
図３は携帯情報端末装置２１の動作を示すフローチャートである。
【００２９】
まず、図示しない判定手段は、通信制御手段２２を用いて生成した通信路を介して、情報端末装置１からデータを受信したか否かを判定し（Ｓ１１）、受信したと判定した場合は、ステップ６で送信されたデータをデータ受信手段２３により受信し、データ保持手段２４を用いて保存する（Ｓ１２）。次に、データ保持手段２４によりＲＡＭ等に保存されたデータをデータ表示手段２５を用いてディスプレイ（図示せず）に表示する（Ｓ１３）。更に、着信側の携帯情報端末装置２１のユーザはブラウザ操作手段２６を用いて作成した応答メッセージをデータ送信手段２７を用いてネットワーク２０を介して情報端末装置１に送信する（Ｓ１４）。ステップ１１で受信していないと判定した場合は、この処理を終了する。
【００３０】
なお、フローチャートには示されていないが、携帯情報端末装置２１が通信ビジー状態である場合は、情報端末装置１から送信されてきた電子メールを電子メール受信手段２８を用いて受信することにより、情報端末装置１から携帯情報端末装置２１への情報伝達を遂行することができ、利便性を向上することができる。
【００３１】
以上のように本実施の形態によれば、従来の携帯情報端末装置では表示できなかった画像情報を相手側の携帯情報端末装置２１に特別な表示装置を追加しなくても表示することができ、携帯情報端末装置２１の受信確認を即時かつ容易に取得することが可能となる。また、情報端末装置１は応答メッセージ入力フォーム作成手段９を用いて携帯情報端末装置２１に送信するデータ内に応答メッセージ入力フォームを埋め込み、携帯情報端末装置２１にてブラウザを操作することにより応答メッセージを送信させて、情報端末装置１の応答メッセージ受信手段９にて応答メッセージを受信させることにより、双方向通信が可能となる。また、受信可否検出手段７により受信側の携帯情報端末装置２１が通信ビジー状態である場合は、電子メール作成手段１１を用いて画像情報保持手段３に保存している画像情報を従来の電子メールの形態に変換して電子メール送信手段１２を用いて送信することにより、受信側の携帯情報端末装置２１が通信ビジーであっても情報伝達を遂行することが可能となる。
【産業上の利用可能性】
【００３２】
本発明は、ネットワークに接続可能な情報端末装置に関し、ＷＷＷサーバや大画面のディスプレイを使用しなくても、携帯情報端末装置だけで情報端末装置から送られてきた画像情報の表示を容易に行うことができ、また相手側の携帯情報端末装置の受信確認を即時かつ容易に取得することができ、画像情報を含むコンテンツを利用した安全なコミュニケーションを行うことができ、利便性の向上を図ることができる。
【図面の簡単な説明】
【００３３】
【図１】携帯情報端末装置と本発明の実施の形態１に係る情報端末装置とがネットワークを介して接続されているネットワークシステムを示す構成図
【図２】情報端末装置の動作を示すフローチャート
【図３】携帯情報端末装置の動作を示すフローチャート
【符号の説明】
【００３４】
１    情報端末装置
２    画像情報入力手段
３    画像情報保持手段
４    画像情報変換手段
５    データ保持手段
６    通信制御手段
７    受信可否検出手段
８    データ送信手段
９    応答メッセージ入力フォーム作成手段
１０    応答メッセージ受信手段
１１    電子メール作成手段
１２    電子メール送信手段
２０    ネットワーク
２１    携帯情報端末装置
２２    通信制御手段
２３    データ受信手段
２４    データ保持手段
２５    データ表示手段
２６    ブラウザ操作手段
２７    データ送信手段
２８    電子メール受信手段
【図１】
2008015645.tif 000003
【図２】
2008015645.tif 000004
【図３】
2008015645.tif 000005